【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
創傷のモニタリングまたは治療で使用するための装置であって、
患者の創傷の上に位置付けされ、前記創傷から創傷滲出液を吸収するように構成された創傷被覆材と、
前記創傷被覆材に組み込まれたまたは連結された回路基板であって、前記回路基板が、前記回路基板の第１の側面の周囲の少なくとも一部の周りに延びる第１の導電経路を備え、前記第１の導電経路が、前記回路基板の電気接地に電気的に連結されている、回路基板と、
前記回路基板上に取り付けられたセンサであって、前記センサが、前記患者の生理学的パラメータを示す値を判定するために使用可能な信号を出力するように構成されている、センサと、を備え、
前記第１の導電経路が、静電気放電に対して前記センサを保護するように構成されている、装置。
【請求項２】
前記回路基板が、可撓性プリント回路基板である、請求項１に記載の装置。
【請求項３】
前記回路基板が、伸縮可能である、請求項１または２に記載の装置。
【請求項４】
前記回路基板が、エラストマー基材上の導電性トラックおよび前記エラストマー基材上のコンフォーマルコーティングを備える、請求項１〜３のいずれか１項に記載の装置。
【請求項５】
前記回路基板が、前記第１の側面の反対側の前記回路基板の第２の側面の周囲の少なくとも一部の周りに延びる第２の導電経路を備え、前記第２の導電経路が、前記電気接地に電気的に連結され、前記静電気放電に対して前記センサを保護するように構成されている、請求項１〜４のいずれか１項に記載の装置。
【請求項６】
前記第１の導電経路と前記第２の導電経路とを前記回路基板を介して電気的に接続する複数のビアをさらに備える、請求項５に記載の装置。
【請求項７】
前記第１の導電経路が、前記第１の側面の前記周囲の少なくとも半分の周りに延び、
任意で、前記第１の導電経路が、前記第１の側面の前記周囲の少なくとも７５％の周りに延びる、請求項１〜６のいずれか１項に記載の装置。
【請求項８】
前記センサが、前記創傷被覆材が除細動ショックに晒された後も前記信号を出力し続けるように構成されている、請求項１〜７いずれか１項に記載の装置。
【請求項９】
前記回路基板が、前記創傷被覆材の創傷接触層に組み込まれている、請求項１〜８のいずれか１項に記載の装置。
【請求項１０】
前記センサが、温度センサ、インピーダンスセンサ、光学センサ、またはＳｐＯ２センサのうちの一つ以上を備える、請求項１〜９のいずれか１項に記載の装置。
【請求項１１】
前記信号を受信し、前記値を判定し、提示のために前記値を出力するように構成されたコントローラをさらに備え、
任意で、前記コントローラが、前記回路基板上に取り付けられていない、請求項１〜１０のいずれか１項に記載の装置。
【請求項１２】
創傷のモニタリングまたは治療で使用するための装置を製造するための方法であって、
基材上にセンサを取り付けて、前記基材上の導電性トラックと電気的に通信するステップと、
前記基材にコンフォーマルコーティングを塗布するステップと、
前記基材の穿孔するステップと、
前記基材の第１の側面の周囲の少なくとも一部の周りに延びる第１の導電経路を付加するステップと、
前記第１の導電経路を前記センサのための電気接地に電気的に接続するステップと、
前記基材を創傷被覆材に組み込むまたは前記基材を前記創傷被覆材に連結するステップと、を含む、方法。
【請求項１３】
前記センサが、前記センサが患者に近接して位置付けられた時に、前記患者の生理学的パラメータを示す値を判定するために使用可能な信号を出力するように構成されている、請求項１２に記載の方法。
【請求項１４】
前記付加するステップが、前記基材上の前記第１の導電経路を浸漬またはオーバーモールドするステップを含む、請求項１２または１３に記載の方法。
【請求項１５】
前記塗布するステップが、前記コンフォーマルコーティングを前記第１の側面および前記第１の側面の反対側の前記基材の第２の側面に塗布するステップを含む、請求項１２〜１４のいずれか１項に記載の方法。
【請求項１６】
前記第１の側面の反対側の前記基材の第２の側面の周囲の少なくとも一部の周りに延びる第２の導電経路を付加するステップと、
前記第２の導電経路を前記電気接地に電気的に接続するステップと、
をさらに含む、請求項１２〜１５のいずれか１項に記載の方法。
【請求項１７】
前記基材を介して、または、前記基材の縁部の周りに、前記第１の導電経路を前記第２の導電経路に電気的に接続するステップをさらに含む、請求項１６に記載の方法。
【手続補正２】
【補正対象書類名】明細書
【補正対象項目名】０１９５
【補正方法】変更
【補正の内容】
【０１９５】
本開示に記載する実装に対する様々な変形は、当業者には容易に明らかとなってもよく、本明細書に定義する一般的な原理は、本開示の精神または範囲を逸脱することなく、他の実装に適用され得る。それゆえ、開示は、本明細書に示す実装に限定することは意図していないが、本明細書に記載する原理および特徴と一致する、最も広い範囲が与えられるべきである。
［付記項１］
創傷のモニタリングまたは治療で使用するための装置であって、
患者の創傷の上に位置付けされ、前記創傷から創傷滲出液を吸収するように構成された創傷被覆材と、
前記創傷被覆材に組み込まれたまたは連結された回路基板であって、前記回路基板が、前記回路基板の第１の側面の周囲の少なくとも一部の周りに延びる第１の導電経路を備え、前記第１の導電経路が、前記回路基板の電気接地に電気的に連結されている、回路基板と、
前記回路基板上に取り付けられたセンサであって、前記センサが、前記患者の生理学的パラメータを示す値を判定するために使用可能な信号を出力するように構成されている、センサと、を備え、
前記第１の導電経路が、静電気放電に対して前記センサを保護するように構成されている、装置。
［付記項２］
前記回路基板が、可撓性プリント回路基板である、付記項１に記載の装置。
［付記項３］
前記回路基板が、伸縮可能である、付記項１〜２のいずれか１項または複数項に記載の装置。
［付記項４］
前記回路基板が、エラストマー基材上の導電性トラックおよび前記エラストマー基材上のコンフォーマルコーティングを備える、付記項１〜３のいずれか１項または複数項に記載の装置。
［付記項５］
前記回路基板が、前記第１の側面の反対側の前記回路基板の第２の側面の周囲の少なくとも一部の周りに延びる第２の導電経路を備え、前記第２の導電経路が、前記電気接地に電気的に連結され、前記静電気放電に対して前記センサを保護するように構成されている、付記項１〜４のいずれか１項または複数項に記載の装置。
［付記項６］
前記第１の導電経路と前記第２の導電経路とを前記回路基板を介して電気的に接続する複数のビアをさらに備える、付記項５に記載の装置。
［付記項７］
前記第１の導電経路が、前記第１の側面の前記周囲の少なくとも半分の周りに延びる、付記項１〜６のいずれか１項または複数項に記載の装置。
［付記項８］
前記第１の導電経路が、前記第１の側面の前記周囲の少なくとも７５％の周りに延びる、付記項１〜７のいずれか１項または複数項に記載の装置。
［付記項９］
前記センサが、前記創傷被覆材が除細動ショックに晒された後も前記信号を出力し続けるように構成されている、付記項１〜８のいずれか１項または複数項に記載の装置。
［付記項１０］
前記回路基板が、前記創傷被覆材の創傷接触層に組み込まれている、付記項１〜９のいずれか１項または複数項に記載の装置。
［付記項１１］
前記センサが、温度センサ、インピーダンスセンサ、光学センサ、またはＳｐＯ２センサのうちの一つ以上を備える、付記項１〜１０のいずれか１項または複数項に記載の装置。
［付記項１２］
前記信号を受信し、前記値を判定し、提示のために前記値を出力するように構成されたコントローラをさらに備える、付記項１〜１１のいずれか１項または複数項に記載の装置。
［付記項１３］
前記コントローラが、前記回路基板上に取り付けられていない、付記項１２に記載の装置。
［付記項１４］
創傷のモニタリングまたは治療で使用するための装置を製造するための方法であって、
基材上にセンサを取り付けて、前記基材上の導電性トラックと電気的に通信することと、
前記基材にコンフォーマルコーティングを塗布することと、
前記基材の穿孔することと、
前記基材の第１の側面の周囲の少なくとも一部の周りに延びる第１の導電経路を付加することと、
前記第１の導電経路を前記センサのための電気接地に電気的に接続することと、
前記基材を創傷被覆材に組み込むか、または前記基材を前記創傷被覆材に連結することと、を含む、方法。
［付記項１５］
前記センサが、前記センサが患者に近接して位置付けられた時に、前記患者の生理学的パラメータを示す値を判定するために使用可能な信号を出力するように構成されている、付記項１４に記載の方法。
［付記項１６］
前記付加することが、前記基材上の前記第１の導電経路を浸漬またはオーバーモールドすることを含む、付記項１４〜１５のいずれか１項または複数項に記載の方法。
［付記項１７］
前記基材が、熱可塑性ポリウレタンを含む、付記項１４〜１６のいずれか１項または複数項に記載の方法。
［付記項１８］
前記塗布することが、前記コンフォーマルコーティングを前記第１の側面および前記第１の側面の反対側の前記基材の第２の側面に塗布することを含む、付記項１４〜１７のいずれか１項または複数項に記載の方法。
［付記項１９］
前記第１の側面の反対側の前記基材の第２の側面の周囲の少なくとも一部の周りに延びる第２の導電経路を付加することと、
前記第２の導電経路を前記電気接地に電気的に接続することと、をさらに含む、付記項１４〜１８のいずれか１項または複数項に記載の方法。
［付記項２０］
前記基材を介して前記第１の導電経路を前記第２の導電経路に電気的に接続することをさらに含む、付記項１９に記載の方法。
［付記項２１］
前記第１の導電経路を前記基材の縁部の周りの前記第２の導電経路に電気的に接続することをさらに含む、付記項１９または２０に記載の方法。